(57)【要約】【課題】短時間で使用者の意図する画像データを入手し、且つ、画像入力装置−端末間を往復するような使用者の負荷を少なくすることを低コストで実現する画像読取システムを提供する。【解決手段】画像読取装置２のＲＯＭ２２に保存された複数の読取条件２２０から複数の読取条件を選択し、スキャナ部２６によって単一の原稿から複数の画像データを取得する。取得した画像データはメモリ２３や、端末装置３のメモリ３５や、記憶装置５、６、あるいはメモリカード２８０に保存する。保存が完了すると記憶処理完了情報２２２を端末装置３に送信する。端末装置３側では、記憶処理完了情報２２２に含まれるプログラム２２２ｂを実行することによって、画像データの内容を表示部３４やプリンタ３７で確認して、個々の画像データを削除するか否かを決定する。【選択図】図１
2010177785.tif 000002
【特許請求の範囲】
【請求項１】
端末装置等の他の電子機器と通信ネットワークを介して通信するためのネットワークインターフェースと、
画像を読み取る読取部と、
複数の画像読取条件を画像読取項目ごとに記憶する条件記憶部と、
その条件記憶部に画像読取項目ごとに記憶された複数の画像読取条件のなかから所望の画像読取条件を選択する入力を受け付ける条件入力手段と、
その条件入力手段が受け付けた各画像読取項目ごとの画像読取条件を組み合わせ順次切り替えて、前記読取部により単一の読取対象を繰り返し読み取って複数の画像データを取得するように制御する読取制御手段と、
その複数の画像データを前記ネットワークインターフェースを介して他の電子機器へ出力する出力手段又は前記複数の画像データを記憶する画像記憶部と、
を備えたことを特徴とする画像読取装置。
【請求項２】
前記条件入力手段は、前記条件記憶部に記憶された各画像読取項目ごとの全ての画像読取条件を一括して選択する入力を受け付ける全条件選択手段を備えた請求項１に記載の画像読取装置。
【請求項３】
前記条件入力手段が受け付けた複数の画像読取条件を各画像読取項目ごとに組み合わせたもとで必要となる画像読取の総回数を算出する第１算出手段と、
その第１算出手段で算出された前記総回数を報知する第１報知手段と、
を備えた請求項１又は２に記載の画像読取装置。
【請求項４】
前記条件入力手段が受け付けた複数の画像読取条件を各画像読取項目ごとに組み合わせたもとでの読み取られた画像を記憶する場合に必要な総記憶容量を算出する第２算出手段と、
その第２算出手段で算出された前記総記憶容量を報知する第２報知手段と、
を備えた請求項１乃至３のいずれか１項に記載の画像読取装置。
【請求項５】
個々の前記画像データに、その画像データを読み取った際の読取条件が含まれた名称を生成して付与する名称付与手段を備えた請求項１乃至４のいずれか１項に記載の画像読取装置。
【請求項６】
前記画像読取条件を分類し、分類された個々の前記画像読取条件に対応する複数のフォルダを作成し、複数の前記画像データを、その画像データを読み取った際の画像読取条件に対応する前記フォルダ内に格納する格納手段を備えた請求項１乃至５のいずれか１項に記載の画像読取装置。
【請求項７】
請求項１乃至６のいずれか１項に記載の画像読取装置と端末装置と画像記憶部とが通信可能に接続された画像読取システムであって、
前記画像読取装置は、
前記読取制御手段の制御によって読み取られた複数の画像データを前記画像記憶部に記憶させる記憶制御手段と、
その記憶制御手段による記憶処理が完了したら処理プログラムを前記端末装置へ送信する送信手段と、
を備え、
前記処理プログラムは、前記端末装置を、
前記画像記憶部に記憶された前記複数の画像データを画像内容が視認可能なように出力する出力手段と、
前記画像記憶部に記憶された前記複数の画像データのそれぞれを削除するか否かを指令する入力を受け付ける指令入力手段と、
して機能させることを特徴とする画像読取システム。
【発明の詳細な説明】
【技術分野】
【０００１】
本発明は、画像読取装置及び画像読取システムに関する。
【背景技術】
【０００２】
イメージスキャナに代表される画像入力装置において、特にＬＡＮに代表されるネットワークインターフェースを具備している画像入力装置（画像読取装置）は、読取を実施し取得した画像をファイルサーバーや使用者のＰＣ（パーソナルコンピュータ）等の端末に送る機能を有しており、ＰＣとの接続は必要とせず単体で動作できるため、複数人で共用して使用することが可能である。
【０００３】
ただ、前記のような利点がある一方で、複数人が共用するという特徴から必ずしも使用者の近くに設置されることにはならず使用者から離れた場所に設置される場合もある。そのような場合、使用者は原稿を所持して画像入力装置まで行き、原稿を読み取った後、使用者のＰＣ等の端末で、読み取った画像データを確認する。
【０００４】
読み取った画像データが使用者の意図に合わない場合、再度画像入力装置に行き、読取条件設定を変更して原稿を読み取る。これを使用者の意図に合うまで繰り返す、もしくは、読取条件設定を切替えて複数回読取り、使用者の意図に合う画像データを選択する必要がある。
【０００５】
この作業を軽減すべく、様々な技術が発明されている。例えば下記特許文献１では、読取条件を変える再設定の際に先回と同じ読取条件設定とならないように先回と同じ読取条件を呼び出すことができる。また特許文献２では、操作パネルのディスプレイに読取画像を縮小表示させ、使用者がその場で確認できることができる。
【先行技術文献】
【特許文献】
【０００６】
【特許文献１】特開２００７−１５６１８０号公報
【特許文献２】特開２００７−２８８４５４号公報
【発明の概要】
【発明が解決しようとする課題】
【０００７】
しかし、特許文献１では、再読取の際の読取条件設定のための労力を減少させることはできるが、使用者の意図しなかった画像の場合は、画像入力装置まで移動を繰り返す必要がある。また特許文献２では、ある程度以上の画像を確認するためには、表示部が大きく、解像度の高いディスプレイを用意しなければならず、低コストを意識した製品に利用することは困難である。
【０００８】
そこで本発明が解決しようとする課題は、上記問題点に鑑み、短時間で使用者の意図する画像データを入手し、且つ、画像入力装置−端末間を往復するような使用者の負荷を少なくすることを低コストで実現する画像読取装置及び画像読取システムを提供することにある。
【課題を解決するための手段及び発明の効果】
【０００９】
上記課題を達成するために、本発明に係る画像読取装置は、端末装置等の他の電子機器と通信ネットワークを介して通信するためのネットワークインターフェースと、画像を読み取る読取部と、複数の画像読取条件を画像読取項目ごとに記憶する条件記憶部と、その条件記憶部に画像読取項目ごとに記憶された複数の画像読取条件のなかから所望の画像読取条件を選択する入力を受け付ける条件入力手段と、その条件入力手段が受け付けた各画像読取項目ごとの画像読取条件を組み合わせ順次切り替えて、前記読取部により単一の読取対象を繰り返し読み取って複数の画像データを取得するように制御する読取制御手段と、その複数の画像データを前記ネットワークインターフェースを介して他の電子機器へ出力する出力手段又は前記複数の画像データを記憶する画像記憶部と、を備えたことを特徴とする。
【００１０】
これにより本発明の画像読取装置では、１回の読取にて、装置内に記憶された読取条件のうちから使用者が望むだけの読取条件全てで読取りを実施することが可能となる。したがって、何度も画像読取装置とＰＣ等の端末と往復することや、読取条件を変えるために何度も読取条件を設定し直して読み取ることが無くなり、１回の読取りで完了できるので、使用者の負荷が少なくなる。また、画像読取装置を動作させる時間が短くなることから、消費電力の低減につながる。
【００１１】
また前記条件入力手段は、前記条件記憶部に記憶された各画像読取項目ごとの全ての画像読取条件を選択する入力を受け付ける全条件選択手段を備えたとしてもよい。
【００１２】
これにより装置内に記憶された全ての読取条件を選択する全条件選択手段を備えるので、装置内に記憶された全ての読取条件を少ない操作で設定できることになり、操作性が向上し、使用者の操作時間を短縮することができる。
【００１３】
また前記条件入力手段が受け付けた複数の画像読取条件を各画像読取項目ごとに組み合わせたもとで必要となる画像読取の総回数を算出する第１算出手段と、その第１算出手段で算出された前記総回数を報知する第１報知手段と、を備えたとしてもよい。
【００１４】
これにより読取実施の総回数を使用者が知ることができるので、使用者の想定以上の読取回数の場合は総読取回数を減らす読取条件の再考を促すことができる。このため、使用者の想定以上の画像入力装置に対する拘束時間を少なくすることや、不必要な読取動作を防ぐことが可能となり、操作性が向上する。
【００１５】
また前記条件入力手段が受け付けた複数の画像読取条件を各画像読取項目ごとに組み合わせたもとでの読み取られた画像を記憶する場合に必要な総記憶容量を算出する第２算出手段と、その第２算出手段で算出された前記総記憶容量を報知する第２報知手段と、を備えたとしてもよい。
【００１６】
これにより読取実施により発生する画像データの総データ量を使用者が知ることにより、使用者の想定以上のデータ量の場合はデータ量を減らすための読取条件の再考を促すことができる。このため、画像入力装置への保存やネットワークに送信するデータ量を削減することができる。
【００１７】
また個々の前記画像データに、その画像データを読み取った際の読取条件が含まれた名称を生成して付与する名称付与手段を備えたとしてもよい。
【００１８】
これにより読取条件の設定を画像データを開くことなく確認できるため、使用者の操作性が向上する。
【００１９】
また前記画像読取条件を分類し、分類された個々の前記画像読取条件に対応する複数のフォルダを作成し、複数の前記画像データを、その画像データを読み取った際の画像読取条件に対応する前記フォルダ内に格納する格納手段を備えたとしてもよい。
【００２０】
これにより読取条件毎に分類して保存することにより、目的とするファイルを見つけ出すことや、読取条件の違いによる画像の比較を容易に行なうことができるため、使用者の操作性が向上する。
【００２１】
また本発明の画像読取システムは、上記いずれかの画像読取装置と端末装置と画像記憶部とが通信可能に接続された画像読取システムであって、前記画像読取装置は、前記読取制御手段の制御によって読み取られた複数の画像データを前記画像記憶部に記憶させる記憶制御手段と、その記憶制御手段による記憶処理が完了したら処理プログラムを前記端末装置へ送信する送信手段と、を備え、前記処理プログラムは、前記端末装置を、前記画像記憶部に記憶された前記複数の画像データを画像内容が視認可能なように出力する出力手段と、前記画像記憶部に記憶された前記複数の画像データのそれぞれを削除するか否かを指令する入力を受け付ける指令入力手段と、して機能させることを特徴とする。
【００２２】
これにより本発明の画像読取システムでは、読取を実施して画像記憶部に画像を記憶した後に、端末装置へ向けて不要な画像データファイルの削除を促すので、画像データファイルの蓄積によるデータ保存領域不足となる可能性を少なくでき、画像読取装置のメンテナンス性を向上させることができる。さらに画像記憶部に作成した画像データを保存あるいは一時保存しておくことが可能になるため、ネットワーク上や端末上にデータを流す量を抑えることができ、データ増加によるネットワークや端末の異常を防止することができる。
【図面の簡単な説明】
【００２３】
【図１】本発明の実施形態における画像読取システムの構成図。
【図２】画像の読取りの処理手順を示すフローチャート。
【図３】画像読取条件の表示例を示す図。
【図４】読取りの総回数の表示例を示す図。
【図５】必要記憶容量の表示例を示す図。
【図６】フォルダの構造の例を示す図。
【図７】フォルダの構造の別の例を示す図。
【発明を実施するための形態】
【００２４】
以下、本発明の実施形態を図面を参照しつつ説明する。まず図１は、本発明の一実施形態における画像読取システム１の構成図である。
【００２５】
図１の構成例では、画像読取システム１は画像読取装置２（画像入力装置）、端末装置３、記憶装置６を備え、これらがＬＡＮ等の通信網４を通して接続されている。
【００２６】
画像読取装置１はＣＰＵ２０、ＲＡＭ２１、ＲＯＭ２２、メモリ２３、操作入力部２４、表示部２５、スキャナ部２６、インターフェイス（Ｉ／Ｆ）部２７、メモリカードインターフェイス２８（メモリカードＩ／Ｆ）を備え、それらがバスで接続されて情報の受け渡しが可能とされている。ＣＰＵ２０は各種情報処理を実行し、ＲＡＭ２１はその作業領域としての記憶部を構成する。ＲＯＭ２２は各種情報を記憶し、特に後述する読取条件２２０、プログラム２２１、完了情報２２２を記憶する。
【００２７】
メモリ２３は不揮発性の記憶部とし、例えばハードディスクドライブやフラッシュメモリとすればよい。後述するように、本実施形態ではメモリ２３には画像データを記憶する。操作入力部２４は使用者からの各種操作入力を受け付ける。表示部２５は例えば液晶ディスプレイ（ＬＣＤ）で構成されて各種情報を表示する。スキャナ部２６は光源、レンズ、ミラー、イメージセンサで構成されて、原稿やシートから画像を読み取って色情報を電気信号に変換して画像データを生成する。スキャナ部２６はフラットベッド方式であっても、シートスルー方式であってもよい。
【００２８】
Ｉ／Ｆ部２７は画像読取装置２と通信網４との接続のために用いられる。またＩ／Ｆ部２７には記憶装置５（外部記憶装置）を接続することができる。記憶装置５との接続は、例えばＵＳＢ接続やシリアル接続でよい。記憶装置５は例えば外付けハードディスクやＵＳＢメモリなどでもよい。また画像読取装置２はメモリカードＩ／Ｆ２８を介してメモリカード２８０を装着して、各種情報をメモリカード２８０に記憶することができる。
【００２９】
次に、端末装置３は例えばＰＣとすればよく、ＣＰＵ３０、ＲＡＭ３１、ＲＯＭ３２、操作入力部３３、表示部３４、メモリ３５、インターフェイス（Ｉ／Ｆ）部３６を備え、それらがバスで接続されて情報の受け渡しが可能とされている。ＣＰＵ３０は各種情報処理を実行し、ＲＡＭ３１はその作業領域としての記憶部を構成する。ＲＯＭ３２は各種情報を記憶する。
【００３０】
操作入力部３３は使用者からの各種操作入力を受け付ける。表示部３４は例えばＬＣＤとして各種情報を表示する。メモリ３５は不揮発性の記憶部とし、例えばハードディスクドライブやフラッシュメモリとすればよい。Ｉ／Ｆ部３６は端末装置３と通信網４との接続のために用いられる。またＩ／Ｆ部３６にはプリンタ３７を接続することができる。
【００３１】
なお図１の構成では、メモリ２３、メモリ３５、記憶装置５、記憶装置６、メモリカード２８０の全てが装備されていなくてもよく、これらのうちの少なくとも１つが装備されているとすればよい。メモリ２３、メモリ３５、記憶装置５、記憶装置６、メモリカード２８０は本実施形態で読み取られる複数の画像データを格納することができる記憶容量を備えるとする。メモリ２３、メモリ３５、記憶装置５、記憶装置６、メモリカード２８０を画像記憶部と称する。
【００３２】
こうした構成を用いて本実施形態では、複数の読取条件のもとで単一の原稿から複数の画像データを読み取ることで、適切な読取条件の設定の煩雑さを回避する。その処理手順が図２に示されている。図２における画像読取装置２側の処理手順はプログラム化されてプログラム２２１としてＲＯＭ２２に記憶されており、これを実行することによって（使用者によって操作する部分を除いて）ＣＰＵ２０によって順次自動的に処理されるとすればよい。
【００３３】
図２の処理ではまず手順Ｓ１０で使用者が画像読取条件を入力する。この手順では、表示部２５に画像読取条件（読取条件）が表示されて、使用者がそれを見て操作入力部２４を用いて読取条件を選択すればよい。この手順での表示部２５における読取条件の表示例が図３に示されている。図３の例では表示部２５はタッチパネルであり操作入力部２４を兼ねるとする。
【００３４】
図３の例では、まず最初の画面では、領域２５０に「解像度」、「原稿サイズ」、「原稿種類」、「原稿方向」、「濃度」、「画像処理」の読取条件の全読取項目が表示されている。
【００３５】
そのうちで例えば「解像度」を選択すると、次の画面で領域２５１に「１００ｄｐｉ」、「２００ｄｐｉ」、「３００ｄｐｉ」、「４００ｄｐｉ」、「５００ｄｐｉ」、「６００ｄｐｉ」との解像度の全選択肢が表示される。使用者はこのうちから所望の解像度を１つ、あるいは複数選択する。また領域２５１には「全解像度」ボタン２５２も表示されており、これを選択すると上記全ての解像度が１つの操作（ワンクリック）で選択できる。
【００３６】
また上記読取項目のうちで「原稿方向」を選択すると、次の画面で領域２５３に「縦」、「横」の原稿方向の全選択肢が表示される。使用者はこのうちから所望の原稿方向を１つ、あるいは２つ選択する。また領域２５３には「全方向」ボタン２５４も表示されており、これを選択すると上記全ての原稿方向が１つの操作（ワンクリック）で選択できる。
【００３７】
また上記読取項目のうちで「原稿種類」を選択すると、次の画面で領域２５５に「白黒」、「グレースケール」、「フルカラー」の原稿種類の全選択肢が表示される。使用者はこのうちから所望の原稿種類を１つ、あるいは複数選択する。また領域２５５には「全種類」ボタン２５６も表示されており、これを選択すると上記全ての原稿種類が１つの操作（ワンクリック）で選択できる。
【００３８】
さらに使用者が上記読取項目のうちで「原稿サイズ」、「濃度」、「画像処理」を選択した場合にも、次の画面で各々の項目での全読取条件が表示されて、使用者はそのなかから１つ、あるいは複数選択できる。以上のとおり、本システムでは、予め全読取条件が保存されており、使用者に対して全ての読取条件を読取項目ごとに表示（報知）して、そのなかから使用者が１つ、あるいは複数の読取条件を（あるいはワンクリックで全読取条件を）選択できるように構成されている。
【００３９】
次にＳ２０で総読取回数を表示する。具体的には、上述のＳ１０で使用者により設定された読取条件で画像の読取りを実行すれば読取の総回数はいくつになるかをＣＰＵ２０が算出して表示部２５に表示する。読取の総回数は、全ての画像読取項目における選択された画像読取条件の数の積となる。Ｓ２０における表示例が図４に示されている。この表示例では領域２５７に読取の総回数を表示している。
【００４０】
次にＳ３０で読み取られた全ての画像の記憶のために必要となる総記憶容量を表示する。具体的には、上述のＳ１０で使用者により設定された読取条件で画像の読取りを実行すれば必要となる記憶容量はどれだけになるかをＣＰＵ２０が算出して表示部２５に表示する。その表示例が図５に示されている。この表示例では領域２５８に必要となる総記憶容量を表示している。
【００４１】
次にＳ３５で読取りを開始するかを使用者に質問する表示を行い、使用者からの回答を求める。使用者からの回答が読取りの開始の指示ならば（Ｓ３５：ＹＥＳ）Ｓ４０へ進み、読取りの開始の指示でないならば（Ｓ３５：ＮＯ）再びＳ１０へ戻り、読取条件の設定をやり直す。
【００４２】
このようにＳ２０、Ｓ３０で読取りの総回数や必要な記憶容量をユーザに知らせた上で使用者に読取りを開始してよいか確認するので、使用者が読取りの総回数や必要な記憶容量の値が大きすぎる、あるいは小さいのでまだ余裕があると判断した場合には読取条件を設定し直せる。
【００４３】
次にＳ４０ではスキャナ部２６で原稿の読取りを実行する。スキャナ部２６がフラットベッド方式であれば原稿台２６０（図１参照）に読取対象（例えば原稿）を載置する。そして、単一の原稿から、Ｓ１０で設定した読取条件をＣＰＵ２０が順次切り替えて読取りを繰り返すことによって複数の画像データを取得する。
【００４４】
スキャナ部２６がシートスルー方式であれば読取対象（例えば原稿やシート）を例えば自動給紙装置２６１（ＡＤＦ：Ａｕｔｏｍａｔｉｃ  Ｄｏｃｕｍｅｎｔ  Ｆｅｅｄｅｒ）に設置してまず最初の読取条件に従って読取りを実行し、次に使用者に原稿の再設置を求める報知を例えば表示部２５に行い、同じ原稿が再設置されたら、（例えば使用者による読取り指令後に）次の読取条件に従って読取りを実行する。以下同様の手順を繰り返すことによって単一の原稿から複数の画像データを取得する。
【００４５】
こうして単一の原稿から複数の画像データが取得されたら、次にＳ５０でフォルダを作成して、フォルダ名を自動的に生成して付与する。さらにＳ６０で各画像データにデータ名を自動的に生成して付与し、Ｓ７０で画像データをフォルダ内に格納する。Ｓ５０からＳ７０で作成、生成されたフォルダや画像データの名前や格納の例が図６、あるいは図７に示されている。
【００４６】
図６あるいは図７の例では、ＣＰＵ２０がフォルダ７を生成し、さらにその下部に複数のサブフォルダ７０を生成している。図７の例ではさらに個々のサブフォルダ７０の下位の階層に複数のサブフォルダ７１を生成している。
【００４７】
図６、７ではＣＰＵ２０は自動的にフォルダ７に「スキャン１」との名称を付与し、サブフォルダ７０のそれぞれに「１００ｄｐｉ」、「２００ｄｐｉ」、「３００ｄｐｉ」、「４００ｄｐｉ」、「５００ｄｐｉ」、「６００ｄｐｉ」との名称を付与し、サブフォルダ７１のそれぞれに「フルカラー」、「白黒」、「グレースケール」との名称を付与している。フォルダ７の名称の付け方は、予め候補を例えばＲＯＭ２２に順番付きで記憶しておき、そのなかからＣＰＵ２０が順番に選択すればよい。
【００４８】
次にサブフォルダ７０、７１の作成方法と名称のつけ方の例を説明する。まず、Ｓ１０において画像読取条件が設定された画像読取項目のうちで複数の選択肢が選択された画像読取項目を複数選択項目とする。サブフォルダ７０、７１は複数選択項目における選択された読取条件を名称として生成する。複数選択項目が複数の場合に、どの画像読取項目でサブフォルダ７０、７１を生成するか、どの画像読取項目をより上位の階層のサブフォルダとするかは、あらかじめルーチンを定めておき、それに従ってＣＰＵ２０が生成してもよい。
【００４９】
そのルーチンとしては例えば、読取項目に優先順位を定めておき、複数選択項目のうちで優先順位が上位の所定個の読取項目に関してサブフォルダを生成する。その際、優先順位が上位の読取項目をより上位の階層のサブフォルダとするとしてもよい。あるいは使用者が優先順位を操作入力部２４を用いて入力できるようにしてもよい。この場合、柔軟に使用者の要望に沿ったフォルダ構造を作成できる利点がある。
【００５０】
次にＣＰＵ２０は各サブフォルダ７０あるいは７１内に画像データ８を格納する。画像データ８の格納方法としては、サブフォルダ７０あるいは７１の名称とされた読取条件に従って読み取られた画像データ８を、そのサブフォルダ７０あるいは７１内に格納すればよい。
【００５１】
各画像データ８への名称の付け方としては、例えば各画像データ８における複数選択項目における当該画像データ８の読取条件を併置したものを各画像データ８の名称とすればよい。図６、７の例では、「解像度」、「原稿種類」、「原稿方向」が複数選択項目である。そこで図６、７では上記ルーチンに従って画像データ８に、「１００ｄｐｉフルカラー縦」、「１００ｄｐｉ白黒縦」等と名称を付与している。
【００５２】
次にＳ８０で、Ｓ５０、Ｓ６０で生成されてＳ７０で画像データ８が格納されたフォルダ７を、画像記憶部、つまりメモリ２３、メモリ３５、記憶装置５、記憶装置６、メモリカード２８０のうちの少なくとも１つ（装備されているもの）に送信して記憶する。送信の方法としては、最初の画像読取の前に空のフォルダ７、サブフォルダ７０、７１を送信して画像記憶部に記憶させておき、その後画像を読み取るごとに１つずつ画像データ８を送信してフォルダ７、サブフォルダ７０、７１内の所望の場所に格納し、最終的に図６、７のように記憶させるとしてもよい。
【００５３】
Ｓ９０では記憶処理完了情報２２２（完了情報）を端末装置３に送信する。記憶処理完了情報２２２は、Ｓ８０でのフォルダ７の記憶処理が完了したことを報知する情報２２２ａと、処理プログラム２２２ｂ（プログラム）とを含んで構成されており、図１のとおりＲＯＭ２２に記憶されている。完了情報２２２は例えば電子メール形式の情報として端末装置３に送信してもよい。
【００５４】
次に端末装置３側の処理手順を説明する。まず、端末装置３では、Ｓ９０で送信された完了情報２２２を受信して、Ｓ１００で、記憶処理が完了したとの情報２２２ａを表示部３４に表示する。その際に完了情報２２２には画像データ８の記憶場所（つまりフォルダ７の記憶場所）の情報が含まれており、Ｓ１００ではその情報を表示してもよい。
【００５５】
次に、例えば使用者が操作入力部３３を用いて、受信した完了情報２２２の中に含まれる（あるいは電子メール形式の場合は添付された）プログラム２２２ｂを起動することにより（あるいはプログラム２２２ｂが自動的に起動することにより）、以下のＳ１１０、Ｓ１２０がＣＰＵ３０によって、使用者による操作以外は自動的に順次実行される。以下でこれを説明する。
【００５６】
Ｓ１１０では個々の画像データ８を出力する。ここでの出力とは、具体的には表示部３４への表示、あるいはプリンタ３７での印刷を指すとする。使用者は操作入力部３３を用いることで記憶部に記憶された個々の画像データ８を順に表示あるいは印刷する。
【００５７】
次にＳ１２０では個々の画像データ８を保存するか削除するかを選択して実行する処理を行う。具体的には、Ｓ１１０で個々の画像を見た使用者が操作入力部３３を用いて、その画像を保存するか（保存したままにするか）削除するかを選択する。以上が図２の処理である。
【００５８】
以上の処理の結果、記憶部には使用者が個々の画像データ８を出力（表示あるいは印刷）した上で確認して保存しておいた方がいいと判断した画像データ８のみが保存されることとなる。その後、保存された画像データ８のうちからさらに望ましい画像を、同じ使用者あるいは別の使用者が各種作業で利用すればよい。メモリカード２８０に保存されている場合にはメモリカード２８０を抜き取って他の場所に持ち運んで利用すればよい。
【００５９】
上記実施形態において、メモリ２３、メモリ３５、記憶装置５、記憶装置６、メモリカード２８０（の少なくとも１つ）が画像記憶部を構成する。スキャナ部２６が読取部を構成する。ＲＯＭ２２が条件記憶部を構成する。Ｓ１０の手順が条件入力手段を構成する。Ｓ４０の手順が読取制御手段を構成する。Ｓ８０の手順が記憶制御手段を構成する。
【００６０】
Ｓ９０の手順が送信手段を構成する。Ｓ１１０の手順が出力手段を構成する。Ｓ１２０の手順が指令入力手段を構成する。ボタン（ソフトボタン）２５２、２５４、２５６が全条件選択手段を構成する。Ｓ２０の手順が第１報知手段を構成する。Ｓ３０の手順が第２報知手段を構成する。Ｓ６０の手順が名称付与手段を構成する。Ｓ７０の手順が格納手段を構成する。
【符号の説明】
【００６１】
１    画像読取システム
２    画像読取装置
３    端末装置
４    通信網
５    記憶装置（画像記憶部）
６    記憶装置（画像記憶部）
２３    メモリ（画像記憶部）
３５    メモリ（画像記憶部）
２２２ｂ    処理プログラム
２８０    メモリカード（画像記憶部）
【図１】
2010177785.tif 000003
【図２】
2010177785.tif 000004
【図３】
2010177785.tif 000005
【図４】
2010177785.tif 000006
【図５】
2010177785.tif 000007
【図６】
2010177785.tif 000008
【図７】
2010177785.tif 000009